(57)【要約】【課題】回動片を有するシリンダ錠を内ネジ付の錠箱取付凹部に取り付けできるようにし、回動片付シリンダ錠の汎用性を向上させる。【解決手段】後端面に回動片１３の突出した錠本体を、底面に回動片１３の係合する入力部材が配置された錠箱の内ネジ付取付凹部に螺着するシリンダ錠の取付構造において、錠本体が後端から挿入されるシリンダ筒と、シリンダ筒に装着され錠本体の移動を阻止するＣリング３３と、シリンダ筒に外挿されて回動自在となる化粧リング２９と、シリンダ筒に外挿され内ネジに螺合する外ネジ７３を有するとともに内面に周溝を有し化粧リング２９と一体回転するネジ筒３１と、周溝に進入しネジ筒３１の軸線方向の移動を阻止する止めピンと、錠箱に設けられシリンダ筒の軸線に直交方向で移動される回転規制杆と、ネジ筒３１及びシリンダ筒に形成され回転規制杆の先端が挿入当接される貫通穴３７及び切削面３９とを設けた。【選択図】      図１
2010106500.tif 000002
【特許請求の範囲】
【請求項１】
後端面に回動片の突出した錠本体を、底面に前記回動片の係合する入力部材が配置された錠箱の内ネジ付取付凹部に螺着するシリンダ錠の取付構造であって、
前記錠本体が後端から内方に挿入され該錠本体の前端からの抜けが規制されるシリンダ筒と、
該シリンダ筒の後端内周に装着され前記錠本体の軸線方向の移動を阻止するＣリングと、
前記シリンダ筒の後端から外挿されて回動自在となり前端からの抜けが規制される化粧リングと、
前記シリンダ筒の後端から外挿され前記内ネジに螺合する外ネジを外周に有するとともに内面に周溝を有し該化粧リングと一体回転するネジ筒と、
前記シリンダ筒の半径方向に貫通する透孔に嵌入され内側への移動が前記錠本体に当接して阻止されるとともに外側に突出して前記周溝に進入し前記ネジ筒の軸線方向の移動を阻止する止めピンと、
錠箱に設けられ前記シリンダ筒の軸線に直交方向で移動される回転規制杆と、
前記ネジ筒及び前記シリンダ筒に形成され該回転規制杆の先端が挿入当接される貫通穴及び切削面と、
を具備したことを特徴とするシリンダ錠の取付構造。
【請求項２】
請求項１記載のシリンダ錠の取付構造であって、
前記シリンダ筒の後端から外挿されて前記化粧リングと前記ネジ筒の間に介装され、前記化粧リングに突設された連結片が係合する角穴を有するとともに、前記ネジ筒に形成された係止凹部に係止する係止片を突設することで、前記化粧リングの回転を前記ネジ筒に伝達するドライブリングを、具備したことを特徴とするシリンダ錠の取付構造。
【請求項３】
請求項１又は請求項２記載のシリンダ錠の取付構造であって、
前記止めピンが、前記シリンダ筒の直径方向両端から外側に向かって突出されることを特徴とするシリンダ錠の取付構造。
【発明の詳細な説明】
【技術分野】
【０００１】
本発明は、後端面に回動片の突出した錠本体を、錠箱の内ネジ付取付凹部に螺着するシリンダ錠の取付構造に関する。
【背景技術】
【０００２】
扉室外面に表出するシリンダ錠と、扉内に内蔵される錠箱からなる施錠装置は、錠箱が取り付けられた後、シリンダ錠が取り付けられる。このようなシリンダ錠の取付構造には、錠箱に設けられた内ネジ付の取付凹部に、シリンダ錠後端部の外周に形成した外ネジを螺着することで、シリンダ錠を錠箱に取り付けるものがある。一般的に、シリンダ錠の後端面には回動片、所謂、テールピースが突出され、回動片はシリンダ錠に挿入された合鍵の回転に伴って回転される。シリンダ錠は、錠箱に取り付けられた状態で、この回動片が錠箱取付凹部の底面に配置される入力部材、所謂、ダルマに係合する。これにより、合鍵の施解錠操作回転が回動片を介して入力部材に伝わり、錠箱内の施解錠機構を作動させる。
【０００３】
ところで、上記したねじ込み式のシリンダ錠では、回動片が後端面から突出されていない。その代わりに鍵穴に挿入された合鍵の先端が後端面から突出され、錠箱取付凹部の入力部材に係合するようになっている。したがって、ねじ込み式シリンダ錠を、錠箱取付凹部の内ネジに螺合する過程では、後端面に回動片が突出していないため、ねじ込み途中で回動片が入力部材に干渉することがなく、最終ねじ込み位置までシリンダ錠をねじ込んで螺着することが可能となった。
【発明の開示】
【発明が解決しようとする課題】
【０００４】
しかしながら、シリンダ錠ねじ込み式の施錠装置において、より防犯性の高いシリンダ錠である、回動片を有するシリンダ錠へ交換したい場合、単にシリンダ錠の後部外周に外ネジを設けるのみでは、シリンダ錠を錠箱取付凹部の内ネジにねじ込む途中で、回動片が入力部材に干渉してしまい、最終ねじ込み位置までシリンダ錠をねじ込めず取り付けが不可能となった。これに対し、錠箱まで交換すれば、交換作業労力が増大するとともに、部品コストも増大した。このため、内ネジ付の錠箱取付凹部に対し、回動片を有するシリンダ錠を取り付け可能にするシリンダ錠取付構造の開発要請があった。
【０００５】
本発明は上記状況に鑑みてなされたもので、回動片を有するシリンダ錠を内ネジ付の錠箱取付凹部に取り付けできるシリンダ錠の取付構造を提供し、もって、回動片付シリンダ錠の汎用性向上を図ることを目的とする。
【課題を解決するための手段】
【０００６】
次に、上記の課題を解決するための手段を、実施の形態に対応する図面を参照して説明する。
本発明の請求項１記載のシリンダ錠の取付構造は、後端面１１に回動片１３の突出した錠本体１５を、底面１７に前記回動片１３の係合する入力部材１９が配置された錠箱２１の内ネジ付取付凹部２５に螺着するシリンダ錠の取付構造であって、
前記錠本体１５が後端から内方に挿入され該錠本体１５の前端からの抜けが規制されるシリンダ筒２７と、
該シリンダ筒２７の後端内周に装着され前記錠本体１５の軸線方向の移動を阻止するＣリング３３と、
前記シリンダ筒２７の後端から外挿されて回動自在となり前端からの抜けが規制される化粧リング２９と、
前記シリンダ筒２７の後端から外挿され前記内ネジ２３に螺合する外ネジ７３を外周に有するとともに内面に周溝６２を有し該化粧リング２９と一体回転するネジ筒３１と、
前記シリンダ筒２７の半径方向に貫通する透孔５２に嵌入され内側への移動が前記錠本体１５に当接して阻止されるとともに外側に突出して前記周溝６２に進入し前記ネジ筒３１の回転を案内するとともに軸線方向の移動を阻止する止めピン４２と、
錠箱２１に設けられ前記シリンダ筒２７の軸線に直交方向で移動される回転規制杆３５と、
前記ネジ筒３１及び前記シリンダ筒２７に形成され該回転規制杆３５の先端が挿入当接される貫通穴３７及び切削面３９と、
を具備したことを特徴とする。
【０００７】
このシリンダ錠の取付構造では、シリンダ筒２７に外挿されたネジ筒３１が化粧リング２９を介して回転されると、錠本体１５は回転せずに、回動片１３が姿勢を保持したまま錠箱２１の入力部材係合位置まで後退される。また、シリンダ筒２７から突出した止めピン４２がネジ筒３１の周溝６２に進入して、ネジ筒３１の軸線方向の移動が確実に阻止される。
【０００８】
請求項２記載のシリンダ錠の取付構造は、請求項１記載のシリンダ錠の取付構造であって、
前記シリンダ筒２７の後端から外挿されて前記化粧リング２９と前記ネジ筒３１の間に介装され、前記化粧リング２９に突設された連結片７９が係合する角穴７７を有するとともに、前記ネジ筒３１に形成された係止凹部４４に係止する係止片４６を突設することで、前記化粧リング２９の回転を前記ネジ筒３１に伝達するドライブリング４０を、具備したことを特徴とする。
【０００９】
このシリンダ錠の取付構造では、化粧リング２９とネジ筒３１との間に、回転伝達機能兼変位吸収機能を有するドライブリング４０が介装され、化粧リング２９が直接ネジ筒に連結される構造に比べ、化粧リング２９が小さく且つ簡素な構造となる。また、化粧リング２９の連結片７９がドライブリング４０の角穴７７に軸線方向へ移動自在に係合し、ネジ込みによって生じる化粧リング２９とネジ筒３１の変位が吸収される。
【００１０】
請求項３記載のシリンダ錠の取付構造は、請求項１又は請求項２記載のシリンダ錠の取付構造であって、
前記止めピン４２が、前記シリンダ筒２７の直径方向両端から外側に向かって突出されることを特徴とする。
【００１１】
このシリンダ錠の取付構造では、シリンダ筒２７とネジ筒３１の軸線方向の相対移動が、シリンダ筒２７の直径方向両端から突出する一対の止めピン４２，４２にて規制され、一つの止めピン４２で規制する構造に比べ、相対移動を規制する作用が高まる。
【発明の効果】
【００１２】
本発明に係る請求項１記載のシリンダ錠の取付構造によれば、錠本体を後端から内方に装着するシリンダ筒と、シリンダ筒の後端から外挿され内ネジに螺合する外ネジを外周に有するとともに内面に周溝を有し化粧リングと一体回転するネジ筒と、シリンダ筒に嵌入され外側に突出して周溝に進入しネジ筒の軸線方向の移動を阻止する止めピンと、錠箱に設けられシリンダ筒の軸線に直交方向で移動される回転規制杆と、ネジ筒及びシリンダ筒に形成され回転規制杆の先端が挿入される貫通穴及び切削面とを設けたので、化粧リングを介してシリンダ筒に外挿したネジ筒のみを回転させることで、錠本体を回転させずに、回動片を姿勢保持したまま錠箱の入力部材に係合する位置まで後退させることができる。この結果、回動片を有するシリンダ錠を内ネジ付の錠箱取付凹部に取り付けでき、回動片付シリンダ錠の汎用性を向上させることができる。これに加え、シリンダ筒から突出した止めピンがネジ筒の周溝に進入して、ネジ筒の軸線方向の移動を阻止するので、錠箱に取り付けられた錠本体の前後方向のガタツキが確実に防止される。すなわち、回動片と入力部材との連結状態が確実なものとなる。
【００１３】
請求項２記載のシリンダ錠の取付構造によれば、化粧リングと内ネジの間に介装され、化粧リングに突設された連結片が係合する角穴を有するとともに、ネジ筒に形成された係止凹部に係止する係止片を突設することで化粧リングの回転をネジ筒に伝達するドライブリングを備えたので、化粧リングを直接ネジ筒に連結する構造に比べ、化粧リングを小さく且つ簡素な構造にできる。また、化粧リングの連結片をドライブリングの角穴に移動自在に係合することで、ネジ込みによって生じる化粧リングとネジ筒の変位、すなわちネジ込みによる軸線方向の移動変位を吸収し、大きなネジ込み量を確保しながら、連結を維持できる。
【００１４】
請求項３記載のシリンダ錠の取付構造によれば、止めピンが、シリンダ筒の直径方向両端から外側に向かって突出されるので、シリンダ筒とネジ筒の軸線方向の相対移動が、シリンダ筒の直径方向両端から突出する一対の止めピンにて規制できるので、一つの止めピンで規制する構造に比べ、軸線方向のガタツキをより確実に阻止することができる。
【発明を実施するための最良の形態】
【００１５】
以下、本発明に係るシリンダ錠の取付構造の好適な実施の形態について図面を参照して詳細に説明する。
図１は本発明に係る取付構造を有したシリンダ錠の斜視図、図２は図１に示したシリンダ錠の平断面図、図３は図１に示したシリンダ錠の化粧リングを省略した縦断面図、図４は錠箱内部の側面図である。なお、本実施の形態ではシリンダ錠の鍵穴側を前方、シリンダ錠の回動片側を後方として説明する。
本実施の形態に係るシリンダ錠の取付構造は、後端面１１に回動片としてのテールピース１３の突出した錠本体１５を、底面１７にテールピース１３の係合する入力部材としてのダルマ１９（図４参照）が配置された錠箱２１の、雌ネジ穴である内ネジ２３付の取付凹部２５に螺着することを目的としている。
【００１６】
そのための主要構成として、本取付構造は、シリンダ筒２７と、化粧リング２９と、ネジ筒３１と、Ｃリング３３と、回転規制杆３５と、貫通穴３７と、切削面３９と、ドライブリング４０と、止めピン４２（図１０参照）と、を備えている。
【００１７】
錠箱２１は、内蔵した施解錠機構によって、デッドボルト４１を扉の木口から進退させる。進退機構は、錠本体１５のテールピース１３或いはサムターンからダルマ１９に入力される回動操作力によって、デッドボルト４１を進退動作させる。錠本体１５は、扉に彫り込んだ凹部に内蔵され、扉木口を覆うフロント板４３を備える。フロント板４３は、デッドボルト４１を進退させるための穴４５を有している。デッドボルト４１は、この穴４５を通過することで、木口から突出し、又、錠箱２１内に後退する。
【００１８】
図５はシリンダ錠外筒の斜視図である。
錠本体１５は、外装部材としての図５に示す外筒４７を有する。外筒４７には内筒４９（図２参照）が回動自在に内設され、内筒４９は両者の間に配設されるロッキングバー５１，５１によって回転が規制・規制解除される。例えば図示しないがディスクタイプのタンブラーを有する錠本体１５は、合鍵を抜きとった状態でロッキングバー５１，５１がスプリングによって外筒４７の溝５３に押しつけられ、この状態で内筒４９を回転させようとしても、ロッキングバー５１，５１の後退する切欠がタンブラーにないため、ロッキングバー５１，５１は溝５３から抜け出ることができず、内筒４９を回転させることができない。
【００１９】
一方、合鍵が差し込まれると、タンブラーは合鍵のきざみによって移動され、切欠がロッキングバー５１，５１に一致して整列する。この状態で内筒４９を回転させると、溝５３とロッキングバー５１，５１のテーパーによって、スプリングに抗してロッキングバー５１，５１が切欠に入り溝５３から抜け出て、内筒４９を回転させる。外筒４７の外周上下には溝５３，５３を形成するための突起５５，５５が外筒４７の軸線方向に沿って形成される。
【００２０】
図６はドライブリングの斜視図、図７は図２のＡ−Ａ断面図である。
シリンダ筒２７には、後端から化粧リング２９が外挿された後、同じく後端からドライブリング４０が外挿される。ドライブリング４０は、化粧リング２９と内ネジ２３の間に介装され、化粧リング２９に突設された連結片７９（図１参照）が係合する角穴７７を有する。また、ドライブリング４０は、ネジ筒３１に形成された係止凹部４４に係止する係止片４６を突設することで、化粧リング２９の回転をネジ筒３１に伝達する。
【００２１】
連結片７９は、角穴７７に係合することで、化粧リング２９とドライブリング４０との相対回転を規制しながら、双方の軸線方向の相対変位を許容する。つまり、ドライブリング４０は、化粧リング２９とドライブリング４０の間に介装されて、回転伝達機能兼変位吸収機能を有する。また、ドライブリング４０が介装されることで、化粧リング２９が直接ネジ筒３１に連結される構造に比べ、化粧リング２９が小さく且つ簡素な構造となっている。また、化粧リング２９の連結片７９がドライブリング４０の角穴７７に移動自在に係合し、ネジ込みによって生じる化粧リング２９とネジ筒３１の軸線方向の変位が吸収されるようになっている。これにより、大きなネジ込み量を確保しながら、連結を維持している。
【００２２】
図８はシリンダ筒の斜視図である。
シリンダ筒２７は、先端に小径穴５７（図２参照）を有し、後端が大径穴５９となることで、錠本体１５を後端から内方に装着する。シリンダ筒２７の内周には突起５５，５５と嵌合する収容溝５６，５６が軸線方向に形成されている。大径穴５９の内周にはＣリング３３が嵌入する嵌合溝４８が形成されている。この実施の形態では、シリンダ筒２７が、前端側の大径部６１と、段部６３を境とする後端側の小径部６５で外形が形成されている。ネジ筒３１は、図２に示すように、小径部６５に回動自在に外挿される。
【００２３】
シリンダ筒２７の小径部６５には半径方向に貫通する一対の透孔５２，５２が穿設され、透孔５２，５２には後述の止めピン４２が嵌入される。
【００２４】
シリンダ筒２７の先端には図２に示す内筒表出穴６７を有した飾り筒６９が被せられて、飾り筒６９はシリンダ筒２７の大径部６１に形成した加締め凹部５４に加締め固定される。この飾り筒６９の外周側には先端が平坦な円錐形状の化粧リング２９が、シリンダ筒２７の後端から外挿されて回動自在となる。化粧リング２９は、シリンダ筒前端からの抜けが規制されるとともに、後端折り曲げ部５８と、飾り筒６９の後端面との間に配設されたバネ７１の付勢力により、後方に付勢され、扉室外面に押付けられるようになっている。
【００２５】
また、シリンダ筒２７の後部外周には、軸線方向に沿って延在する一対の平坦な切削面３９，３９が形成される。この切削面３９には、ネジ筒３１の貫通穴３７を貫通した図４に示す回転規制杆３５の先端が当接する。回転規制杆３５が切削面３９に当接することで、シリンダ筒２７は回動が規制される。
【００２６】
図９はネジ筒の斜視図、図１０は図２のＢ−Ｂ断面図である。
ネジ筒３１は、シリンダ筒２７の後端から外挿され、外ネジ７３を外周に有する。外ネジ７３の後部には複数の貫通穴３７、本実施の形態では略等間隔に４つの貫通穴３７が形成され、貫通穴３７は錠箱２１に設けられた回転規制杆３５の先端を進入させる。ネジ筒３１の前端には一対の係止凹部４４，４４が設けられ、係止凹部４４はドライブリング４０の係止片４６が挿入される。つまり、ネジ筒３１は、ドライブリング４０を介して化粧リング２９と一体回転するようになっている。化粧リング２９を回転すれば、化粧リング２９と同期してネジ筒３１が回転し、ネジ筒３１は、化粧リング２９と係合状態を維持したままねじ込みに伴って後方へ徐々に相対スライドする。したがって、化粧リング２９の後端が扉９５（図１１参照）の室外面９５ａに当接していれば、スライド距離だけ化粧リング２９のバネ７１が圧縮されることとなる。
【００２７】
ネジ筒３１の内面には周溝６２が形成され、図１０に示すように、周溝６２はシリンダ筒２７から突出する止めピン４２を受け入れる。止めピン４２は、シリンダ筒２７の直径方向両端から外側に向かって突出される。止めピン４２は、内側への移動が錠本体１５に当接して阻止されるとともに、外側に突出して周溝６２に進入しネジ筒３１の軸線方向の移動を阻止する。本実施の形態では、シリンダ筒２７とネジ筒３１の軸線方向の相対移動が、シリンダ筒２７の直径方向両端から突出する一対の止めピン４２，４２にて規制され、一つの止めピン４２で規制する構造に比べ、相対移動を規制する作用が高まるようになっている。これにより、錠本体１５の軸線方向のガタツキをより確実に阻止している。
【００２８】
Ｃリング３３は、シリンダ筒２７の後端内周に形成された嵌合溝４８に装着され、錠本体１５の軸線方向の移動を阻止する。なお、図５中、６４は内筒４９の脱落を防止する固定リング６６と、スペーサリング６８を装着する内周溝を示し、図２中、７２はキーガイド、７４はスペーサ部材を示す。
【００２９】
回転規制杆３５は、図４に示すように、錠箱２１に設けられ、シリンダ筒２７の軸線に直交方向で移動される。移動は、フロント板４３に表出するビス頭部８５をプラスドライバ８７などの工具（図１３参照）にて回動することにより行われる。
【００３０】
次に、上記の構成を有する取付構造の作用を説明する。
図１１は錠箱取付工程の取付手順説明図、図１２はシリンダ錠ねじ込み工程の取付手順説明図、図１３は回転規制杆による回転規制工程の取付手順説明図である。
図１１に示すように、扉９５に形成された錠箱収容空間９７に、錠箱２１を木口開口９９から挿入し、フロント板４３をビス１０１，１０１にて木口１０３に固定する。扉９５の室外面９５ａには錠箱２１の取付凹部２５と一致する取付穴１０５を穿設しておく。図１２に示すように、錠本体１５の鍵穴１０７に合鍵１０９を挿入し、合鍵１０９を持った状態でシリンダ筒２７の後端を取付穴１０５へ挿入し、取付凹部２５に一致させる。
【００３１】
次いで、化粧リング２９を回転することで、ネジ筒３１を一体回転する。ネジ筒３１の外ネジ７３が取付凹部２５の内ネジ２３に掛ると化粧リング２９を回すことで、ネジ筒３１は錠箱２１にねじ込まれる。ネジ筒３１は周溝６２に止めピン４２が係合しているので、錠箱２１にねじ込まれることで止めピン４２を介してシリンダ筒２７を押す。錠本体１５はシリンダ筒２７の中にあるのでそのテールピース１３を水平に保ったまま（或いは垂直を保ったまま）錠本体１５のダルマ１９にテールピース１３が掛る位置まで後退する。なお、化粧リング２９の回転時には、錠本体１５に合鍵１０９を挿入されており、この合鍵１０９を把持した状態を維持しているので、化粧リング２９及びネジ筒３１のみの回転が行える。
【００３２】
ネジ筒３１は、化粧リング２９と一体回転するドライブリング４０の係止片４６が係止凹部４４に掛るので、化粧リング２９と同期して回転し、前後へは自由にスライドする。このため、ネジ筒３１のねじ込み時には、化粧リング２９を回転すれば、ネジ筒３１を介してシリンダ筒２７がねじ込まれて行くこととなる。つまり、錠本体１５は回転せずに、テールピース１３が水平姿勢（垂直姿勢）を保持したままダルマ１９との係合位置まで後退される。ネジ筒３１を十分ねじ込んだら、図１３に示すように、ビス頭部８５をドライバ８７で回す。これにより、錠箱２１の回転規制杆３５をネジ筒３１及びシリンダ筒２７の貫通穴３７及び切削面３９に合わせて突出させ、シリンダ筒２７の回転を止める。シリンダ筒２７の前後の抜け止めは、ネジ筒３１の周溝６２に嵌入する止めピン４２で行われる。すなわち、シリンダ筒２７から突出した止めピン４２がネジ筒３１の周溝６２に進入して、ネジ筒３１の軸線方向の移動が確実に阻止される。
【００３３】
したがって、上記のシリンダ錠の取付構造によれば、錠本体１５を後端から内方に装着するシリンダ筒２７と、シリンダ筒２７の後端から外挿され内ネジ２３に螺合する外ネジ７３を外周に有するとともに内面に周溝６２を有し化粧リング２９と一体回転するネジ筒３１と、シリンダ筒２７に嵌入され外側に突出して周溝６２に進入しネジ筒３１の軸線方向の移動を阻止する止めピン４２と、錠箱２１に設けられシリンダ筒２７の軸線に直交方向で移動される回転規制杆３５と、ネジ筒３１及びシリンダ筒２７に形成され回転規制杆３５の先端が挿入される貫通穴３７及び切削面３９を設けたので、化粧リング２９を介してシリンダ筒２７に外挿したネジ筒３１のみを回転させることで、錠本体１５を回転させずに、テールピース１３を姿勢保持したまま錠箱２１のダルマ１９に係合する位置まで後退させることができる。
【００３４】
この結果、テールピース１３を有するシリンダ錠を内ネジ付の錠箱取付凹部２５に取り付けでき、回動片付シリンダ錠の汎用性を向上させることができる。これに加え、シリンダ筒２７から突出した止めピン４２がネジ筒３１の周溝６２に進入して、ネジ筒３１の軸線方向の移動を阻止するので錠本体１５の前後方向のガタツキを確実に防止することができる。
【図面の簡単な説明】
【００３５】
【図１】本発明に係る取付構造を有したシリンダ錠の斜視図である。
【図２】図１に示したシリンダ錠の平断面図である。
【図３】図１に示したシリンダ錠の化粧リングを省略した縦断面図である。
【図４】錠箱内部の側面図である。
【図５】シリンダ錠外筒の斜視図である。
【図６】ドライブリングの斜視図である。
【図７】図２のＡ−Ａ断面図である。
【図８】シリンダ筒の斜視図である。
【図９】ネジ筒の斜視図である。
【図１０】図２のＢ−Ｂ断面図である。
【図１１】錠箱取付工程の取付手順説明図である。
【図１２】シリンダ錠ねじ込み工程の取付手順説明図である。
【図１３】回転規制杆による回転規制工程の取付手順説明図である。
【符号の説明】
【００３６】
１１…後端面
１３…回動片（テールピース）
１５…錠本体
１７…底面
１９…入力部材（ダルマ）
２１…錠箱
２３…内ネジ
２５…取付凹部
２７…シリンダ筒
３３…Ｃリング
２９…化粧リング
３１…ネジ筒
３５…回転規制杆
３７…貫通穴
３９…切削面
４０…ドライブリング
４２…止めピン
４４…係止凹部
４６…係止片
５２…透孔
６２…周溝
７３…外ネジ
７７…角穴
７９…連結片
【図１】
2010106500.tif 000003
【図２】
2010106500.tif 000004
【図３】
2010106500.tif 000005
【図４】
2010106500.tif 000006
【図５】
2010106500.tif 000007
【図６】
2010106500.tif 000008
【図７】
2010106500.tif 000009
【図８】
2010106500.tif 000010
【図９】
2010106500.tif 000011
【図１０】
2010106500.tif 000012
【図１１】
2010106500.tif 000013
【図１２】
2010106500.tif 000014
【図１３】
2010106500.tif 000015